(57)【要約】【課題】  送信機能の高画質化と、豊富な機能（例えば合成機能）を逆手にとって本来送信できてはならない原稿（例えば紙幣や有価証券など）を送信し、別のプリンタで印字するような悪用するケースが想定される。本発明では合成後の画像に対して所定のパターンを含むかどうかを判定することで上述した課題を解決することを目的としている。【解決手段】  原稿画像を読取る読取り手段と、読取られた画像を格納する格納手段と、格納手段に格納された２枚の画像を合成する合成手段と、画像を送信する送信手段と、画像を加工処理する画像加工処理手段と、画像内の特徴を検出する特徴検出手段と、を有し、送信手段により送信する前に合成手段によって合成された画像を特徴検出手段によって検出を行い、所定の特徴が検出されたとき、画像加工手段により画像加工することを特徴とするカラー画像入出力装置。【選択図】  図１９
2006333200.tif 000002
【特許請求の範囲】
【請求項１】
原稿画像を読取る読取り手段と、読取られた画像を格納する格納手段と、格納手段に格納された２枚の画像を合成する合成手段と、画像を送信する送信手段と、画像を加工処理する画像加工処理手段と、画像内の特徴を検出する特徴検出手段と、を有し、送信手段により送信する前に合成手段によって合成された画像を特徴検出手段によって検出を行い、所定の特徴が検出されたとき、画像加工手段により画像加工することを特徴とするカラー画像入出力装置。
【請求項２】
複数の送信プロトコルに対応したカラー画像入出力装置であって、送信先に応じて上記特徴検出、もしくは画像加工処理を行うか否かを判断することを特徴とする請求項１のカラー画像入出力装置。
【請求項３】
原稿がカラーか、白黒かを指定する操作部、もしくは原稿がカラーか、白黒かを自動判定する原稿色判定部を有し、白黒が指定もしくは判別されているときは上記特徴検出、もしくは画像加工処理を行うか否かを判断することを特徴とする請求項１のカラー画像入出力装置である。
【発明の詳細な説明】
【技術分野】
【０００１】
本発明は、カラー画像入力装置に関するものであり、特に紙幣や有価証券等の特定原稿に対する処理に関わる発明である。
【背景技術】
【０００２】
近年、メモリやハードディスクの大容量化に伴い、スキャンした画像をプリントするだけでなく、ネットワークや電話回線を通した送信が容易に実現できるようになってきた。一方、送信画像も白黒からカラーへ、２値画像から、多値画像へと情報量は増え、原稿に忠実な画像が送信できるようになっている。また、画像処理機能が豊富になり、合成画像を送信できるようにしたものも考案されている。
【０００３】
又、従来例としては、例えば特許文献１と特許文献２をあげることが出来る。
【特許文献１】特開平７−１０１６３８号公報
【特許文献２】特開２００１−２４８８５号公報
【発明の開示】
【発明が解決しようとする課題】
【０００４】
高画質化と、豊富な機能を逆手にとって本来送信できてはならない原稿、例えば紙幣や有価証券などを送信し、別のプリンタで印字するような悪用するケースも想定される。
【課題を解決するための手段】
【０００５】
本発明請求項１は、原稿画像を読取る読取り手段と、読取られた画像を格納する格納手段と、格納手段に格納された２枚の画像を合成する合成手段と、画像を送信する送信手段と、画像を加工処理する画像加工処理手段と、画像内の特徴を検出する特徴検出手段と、を有し、送信手段により送信する前に合成手段によって合成された画像を特徴検出手段によって検出を行い、所定の特徴が検出されたとき、画像加工手段により画像加工することを特徴とするカラー画像入出力装置である。
【０００６】
本発明請求項２は、複数の送信プロトコルに対応したカラー画像入出力装置であって、送信先に応じて上記特徴検出、もしくは画像加工処理を行うか否かを判断することを特徴とする請求項１のカラー画像入出力装置である。
【０００７】
本発明請求項３は、原稿がカラーか、白黒かを指定する操作部、もしくは原稿がカラーか、白黒かを自動判定する原稿色判定部を有し、白黒が指定もしくは判別されているときは上記特徴検出、もしくは画像加工処理を行うか否かを判断することを特徴とする請求項１のカラー画像入出力装置である。
【０００８】
従って、本発明では合成後に特定原稿ができたとしても、合成画像に対して画像の加工を行うため、特定原稿を送信してしまうことはない。
【０００９】
本発明では送信プロトコルのよって特定原稿か否か、加工を行うか否かを選択することができるため解像度の低いＦＡＸなどでは判定処理や加工処理をやめることで時間短縮可能である。
【００１０】
また、本発明ではほとんどの場合紙幣や有価証券はカラー画像なので、カラー画像に対してのみ特定原稿か否か、加工を行うか否かを選択することができるため判定処理や加工処理に時間がかかるような場合でも短縮可能である。
【発明の効果】
【００１１】
以上説明したように、本発明請求項１により、合成後の画像に対して紙幣や有価証券であるかどうかが判定できるため、送信機能と合成処理を合わせた場合でも悪用される心配がない。本発明請求項２により、特定の条件下で判定を行うため、判定処理や加工処理に時間がかかる場合でも極力負荷を少なくすることができる。
【発明を実施するための最良の形態】
【００１２】
本発明はカラー画像入出力装置による複写動作、ホストコンピュータからのプリント動作、送信動作という形態になる。
【実施例１】
【００１３】
以下、本発明にかかる一実施形態について、図面を参照して詳細に説明する。
【００１４】
図１は、本発明の実施例を示す画像形成装置システムの全体の構成を説明するブロック図である。本画像形成装置２００は、画像入力デバイスであるスキャナ部２０７０、画像出力デバイスであるプリンタ部２０９５、Ｃｏｎｔｒｏｌｌｅｒ  Ｕｎｉｔ  ２０００、ユーザーインターフェースである操作部２０１２から構成される。スキャナ部２０７０、プリンタ部２０９５、操作部２０１２は、それぞれＣｏｎｔｒｏｌｌｅｒ  Ｕｎｉｔ  ２０００に接続され、Ｃｏｎｔｒｏｌｌｅｒ  Ｕｎｉｔ  ２０００は、ＬＡＮ  ２０１１などのネットワーク伝送手段、公衆回線に接続されている。公衆回線からはカラー画像送信を含むＧ３、Ｇ４ファックスによる送信が可能である。また、ＬＡＮ  ２０１１には、画像形成装置２００と同様の機器構成をもつ他の画像形成装置２２０、２３０が接続されえている。また、パーソナルコンピュータ（以下ＰＣ）２４０が接続されていて、ＦＴＰ，ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ  ２２００、２３００に接続されている。
【００１５】
図２は、画像形成装置の構成を説明するブロック図である。Ｃｏｎｔｒｏｌｌｅｒ  Ｕｎｉｔ  ２０００は画像入力デバイスであるカラースキャナ２０１５や画像出力デバイスであるカラープリンタ２０１７と接続し、一方ではＬＡＮ２００８や公衆回線（ＷＡＮ）２０５１接続することで、画像情報やデバイス情報の入出力を行う為のコントローラである。  ＣＰＵ２００１はシステム全体を制御するコントローラである。ＲＡＭ２００２はＣＰＵ２００１が動作するためのシステムワークメモリであり、画像データを一時記憶するための画像メモリでもある。ＲＯＭ２００３はブートＲＯＭであり、システムのブートプログラムが格納されている。ＨＤＤ２００４はハードディスクドライブで、システムソフトウェア、画像データを格納する。操作部Ｉ／Ｆ２００５は操作部（ＵＩ）２００６とインタフェース部で、操作部２００６に表示する画像データを操作部２００６に対して出力する。また、操作部２００６から本システム使用者が入力した情報を、ＣＰＵ２００１に伝える役割をする。Ｎｅｔｗｏｒｋ２００７はＬＡＮ２００８に接続し、情報の入出力を行う。Ｍｏｄｅｍ２０５０は公衆回線２０５１に接続し、画像情報の入出力を行う。２値画像回転２０５２、および２値画像圧縮・伸張２０５３はＭｏｄｅｍ２０５３で２値画像を送信する前に画像の方向を変換したり、所定の解像度、あるいは相手能力に合わせた解像度に変換するためのものである。圧縮、伸張はＪＢＩＧ、ＭＭＲ、ＭＲ、ＭＨ  をサポートしている。ＤＭＡＣ２００９はＤＭＡコントローラであり、ＲＡＭ２００２に格納されている画像をＣＰＵ２００１を介することなく読取りＩｍａｇｅＢｕｓＩ／Ｆ２０１１に対して画像転送する、もしくは画像バスからの画像をＣＰＵ２００１を介することなくＲＡＭ２００２に書き込む。以上のデバイスがシステムバス２００８に接続される。ＩｍａｇｅＢｕｓ２０１１は画像バス２０１０を介して高速な画像の入出力を制御するためのインタフェースである。圧縮器２０１２は画像バス２０１０に画像を送出する前に３２画素×３２画素の単位でＪＰＥＧ圧縮するための圧縮器である。伸張器２０１３は画像バス２０１０を介して送られた画像を伸張するための伸張器である。
【００１６】
ラスターイメージプロセッサ（ＲＩＰ）２０１８はホストコンピュータからのＰＤＬコードをＮｅｔｗｏｒｋ２００７を介して受け取り、システムバス２００８を通して、ＣＰＵ２００１がＲＡＭ２００２に格納する。ＣＰＵ２００１はＰＤＬを中間コードに変換し、再度システムバス２００８を介してＲＩＰ２０１８に入力し、ビットマップイメージ（多値）に展開する。スキャナ画像処理２０１４はスキャナ２０１５からのカラー画像、白黒画像に対して、適切な各種画像処理（たとえば補正、加工、編集）を行い出力する（多値）。同様にプリンタ画像処理２０１６はプリンタ２０１７に対して適切な各種画像処理（たとえば補正、加工、編集）を行うプリント時は伸張２０１３で２値多値変換を行うので、２値、および多値出力が可能である。画像変換部２０３０はＲＡＭ上にある画像を画像変換し、再度、ＲＡＭ２０３０に下記戻すときに使われる各種画像変換機能を有する。回転器２０１９は３２画素×３２画素単位の画像を指定された角度で回転でき、２値、および多値の入出力に対応している。変倍器２０２０は画像の解像度を変換（たとえば６００ｄｐｉから２００ｄｐｉ）したり、変倍したりする機能（たとえば２５％から４００％まで）を有する。変倍する前には３２×３２画素の画像を３２ライン単位の画像に並び替える。色空間変換２０２１は多値入力された画像をマトリクス演算、およびＬＵＴにより、たとえばメモリ上にあるＹＵＶ画像をＬａｂ画像に変換し、メモリ上に格納する。また、この色空間変換は３×８のマトリクス演算および、１次元ＬＵＴをもち、公知の下地とばしや裏写り防止を行うことができる。変換された画像は多値で出力される。２値多値変換２０２２は１ｂｉｔ２値画像を多値８ｂｉｔ、２５６階調にする。逆に多値２値変換２０２５はたとえばメモリ上にある８ｂｉｔ、２５６階調の画像を誤差拡散処理などの手法により１ｂｉｔ、２階調に変換し、メモリ上に格納する。合成はメモリ上の２枚の多値画像画像を合成し、１枚の多値画像にする機能を有する。たとえば、メモリ上にある会社ロゴの画像と原稿画像を合成することで、原稿画像に簡単に会社ロゴをつけることができる。間引き２０２４は多値画像の画素を間引くことで、解像度変換を行うユニットであり１／２，１／４，１／８の多値画像を出力可能である。変倍２０２０と合わせて使うことで、より広範囲な拡大、縮小を行うことができる。移動２０２５は入力された２値画像、多値画像に余白部分をつけたり、余白部分を削除したりして出力することができる。回転２０１９、変倍２０２０、色空間変換２０２１、２値多値２０２２、合成２０２３、間引き２０２４、移動２０２５、多値２値２０２６ははそれぞれ連結して動作することが可能で、たとえばメモリ上の多値画像を画像回転、解像度変換する場合は、両処理をメモリを介さずに連結して行うことができる。
【００１７】
図３に画像の形式を示す。本発明で使用される画像の形式は特開２００１−１０３４７３で開示されている画像パケット構造を利用する。圧縮２０１２ではラスター形式の画像を、図３のごとく３２×３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダーとする。文字、写真を示す２値のデータ（像域フラグ）も同様に圧縮して、ＪＰＥＧの後ろに付随させる。図４にパケットデータを示す。伸張２０１３ではこのヘッダー情報をもとにＪＰＥＧを展開し、ラスター画像に並び替える。このようなパケット画像にすることで、画像回転のときにはパケット内部の画像のみを回転し、パケットＩＤの位置を変更することで、部分的に伸張圧縮で回転することができるため非常に効率がよい。ＩｍａｇｅＢｕｓ２０１０を流れる画像はすべてパケット画像になる。
【００１８】
ＦＡＸ送信や２値画像回転２０５２、２値画像圧縮、伸張２０５３などでラスター画像が必要な場合は、パケット画像からラスター画像への変換をソフトウェアによって行う。
【００１９】
図５にスキャナ画像処理２０１４の詳細説明を示す。スキャナから入力されたＲＧＢ各８ｂｉｔの輝度信号は画像領域イネーブル生成部２５１０により、使用者からの指示に基づいて原稿画像領域の必要部分の区間を後段の画像処理に流すよう設定される。ここには入力画像を３２×３２画素単位になるように余分に画像を読取るよう設定しておく。その後、マスキング２５０１によりＣＣＤのフィルタ色に依存しない標準的なＲＧＢ色信号に変換される。フィルタ２５０２ではたとえば９×９のマトリクスを使用し、画像をぼかしたり、メリハリをつける処理が行われる。ヒストグラム２５０３は入力画像中の画像信号データのサンプリングをする処理部であり、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。このヒストグラムは、下地とばしや、裏写り防止が指定されたとき、読み出され、ヒストグラムから原稿の下地を推測し、下地とばしレベルとして、画像とともにメモリやＨＤＤに保存、管理され、印刷や送信時の画像処理に使用される。ガンマ２５０４では画像全体の濃度を濃くあるいは薄くするように処理が行われる。たとえば入力画像の色空間を任意の色空間に変換したり、入力系の色味に関する補正処理を行う部分である。２５１１の画像シフトでは主走査、副走査とも３２×３２画素以内のシフト機能を有しており、入力された画像をどちら方向へシフトするのか、および、シフトすることによりパディングの位置が変わるため、その色を指定できるようになっている。
【００２０】
原稿がカラーか白黒かを判断するために変倍前の画像信号を色空間変換２５０５によって公知のＬａｂに変換する。このうちａ，ｂは色信号成分を表しており、比較器２５０５内の所定のレベル以上であれば有彩色、そうでなければ無彩色として１ｂｉｔの判定信号を比較器２５０５から出力する。カウンタ２５０７は比較器からの出力を計測する。文字／写真判定は画像から文字エッジを抽出し、画像を文字と写真に分離する機能である。出力として、文字写真判定信号が得られる。この信号も画像とともにメモリやＨＤに格納され、印刷時に使用される。２５０９は特定原稿判定器である。特定原稿判定器は入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００２１】
図６にプリンタ画像処理２０１６の詳細説明を示す。
【００２２】
２６０１は画像データの地色を飛ばし、不要な下地のカブリ除去を行う。例えば、３×８のマトリクス演算や、１次元ＬＵＴにより下地飛ばしを行う。これは前述したように２０３２にも含まれる機能であり、まったく同等の回路である。２６０２はカラー画像データをモノクロデータに変換し、単色としてプリントする際に、カラー画像データ、例えばＲＧＢデータを、Ｇｒａｙ単色に変換するモノクロ生成部である。例えば、ＲＧＢに任意の定数を掛け合わせ、Ｇｒａｙ信号とする１×３のマトリクス演算から構成される。２６０３は画像データを出力するプリンタ部の特性に合わせて色補正を行う出力色補正部である。例えば、４×８のマトリクス演算や、ダイレクトマッピングによる処理から構成される。２６０４は画像データの空間周波数を任意に補正するフィルタ処理部であり、例えば９×９のマトリクス演算を行う処理から構成される。２６０５は出力するプリンタ部の特性に合わせて、ガンマ補正を行う処理であり、通常１次元のＬＵＴから構成される。２６０６は出力するプリンタ部の階調数に合わせて任意の中間調処理を行う処理部であり、２値化や３２値化など、任意のスクリーン処理や、誤差拡散処理を行う中間調処理部である。各処理は図示しない文字／写真判定信号によって切り替えることも可能である。ドラム間遅延メモリ２６０７はＣＭＹＫの各色のドラムを持つカラープリンタにおいて、ＣＭＹＫの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００２３】
画像入出力デバイスを図７に示す。画像入力デバイスであるスキャナ部２０１５は、原稿となる紙上の画像を照明し、ＣＣＤラインセンサ（図示せず）を走査することで、ラスターイメージデータとして電気信号に変換する。原稿用紙は原稿フィーダ２７０１のトレイ２７０２にセットし、装置使用者が操作部２００６から読取り起動指示することにより、コントローラＣＰＵ２００１がスキャナ２０１５に指示を与え、フィーダ２０７１のトレイ２７０２から原稿用紙を１枚ずつフィードし原稿画像の読取り動作を行う。
【００２４】
画像出力デバイスであるプリンタ部２０１７は、ラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、コントローラＣＰＵ２００１からの指示によって開始する。プリンタ部２０９５には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００２５】
操作部２００６の構成を図８に示す。ＬＣＤ表示部２８０１は、ＬＣＤ上にタッチパネルシート２８０２が貼られており、システムの操作画面およびソフトキーを表示するとともに、表示してあるキーが押されるとその位置情報をコントローラＣＰＵ２００１に伝える。スタートキー２０１４は原稿画像の読取り動作を開始する時などに用いる。スタートキー２８０３中央部には、緑と赤の２色ＬＥＤ２８０４があり、その色によってスタートキー２８０３が使える状態にあるかどうかを示す。ストップキー２８０５は稼働中の動作を止める働きをする。ＩＤキー２８０６は、使用者のユーザーＩＤを入力する時に用いる。リセットキー２８０７は操作部からの設定を初期化する時に用いる。
【００２６】
図９は、本実施例の画像形成装置における初期画面であり、各画像形成機能設定後に戻ってくる標準画面でもある。３１０１はコピー設定を行うための画面切り替えを行う。３１０２はスキャンした画像をファックスや電子メールで送信する設定を行うための画面切り替えを行う。３１０３は内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。３１０４は３１０５のよって設定された画像読み込み時の設定を表示するためのウィンドウである。３１０５は画像読み込み時の解像度、濃度などを設定する。３１０６はタイマー送信時のタイマー設定、ＨＤＤあるいはプリンタに印字する場合の設定などを行う。３１０７は３１０８によって指定された送信宛先の表示を行う。３１０９は３１０７に表示された１宛先の詳細な情報の表示を行う。３１１０は３１０７に表示された１宛先の消去を行う。
【００２７】
図１０は３１０５を押下したときに表示されるポップアップウィンドウである。３２０１は読取り原稿サイズをポップアップのなかから選択入力し、設定された読取りサイズは３２０２に表示される。３２０３は原稿の読取りモードを選択するところであり、押下するとカラー／ブラック／自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。３２０４は読取りの解像度を指定するためポップアップからの選択入力になる。３２０５は原稿の読取り濃度を調整するためのスライダであり、９段階の調整が行える。３２０６は新聞のように下地がかぶった画像を読み込む場合に、濃度を自動的に決定するためにある。３２０６についてはコピーでも同様の設定が可能である。
【００２８】
図１１にコピータブ３１０１を押下したときの画面を示す。３３０１はコピーできる状態が否かを示すところであり、同時に設定したコピー部数も表示される。３３０２は３２０６と同等の機能であり、下地除去を自動的にするかしないかを選択するためのボタンである。３３０３は３２０５と同等の機能であり、９段階の濃度調整が可能なスライダである。３３０４は原稿のタイプを選択するところであり、文字・写真・地図、文字、印画紙写真、印刷写真が選択できる。３３０５は応用モードボタンであり、縮小レイアウト（複数枚の原稿を１枚の用紙に縮小印字する機能）や、カラーバランス（ＣＭＹＫの各色微調整）などが設定できる。３３０６は各種フィニッシングにかかわる設定を行うボタンであり、シフトソート、ステープルソート、グループソートが設定できる。３３０７は両面読み込み、および、両面印刷にかかわる設定を行うボタンである。
【００２９】
図１２にボックスタブ３１０３を押下したときの画面を示す。３４０１はＨＤＤを論理的に区分した各フォルダを示す。フォルダにはフォルダ番号があらかじめ割り振られており、３４０１は０番のフォルダになる。フォルダ番号の横にはフォルダで使用しているディスク容量の割合が表示されている。また、フォルダには任意の名前をつけることができ、名前もここに表示される。３４０２はＨＤＤ全体の使用量が表示される。
【００３０】
図１３に３４０１を押下したときの画面を示す。３５０１および３５０２はフォルダに格納されている文書を示す。文書は複数のページで構成されている。３５０１はスキャンした文書であり、スキャン文書であることを示すアイコン表示、および、ＨＤＤ使用量、さらにユーザーが任意に設定できる文書名表示を表示している。３５０２はＰＤＬから格納したＰＤＬ文書であるアイコンが表示されている。アイコンを押下することで、その文書が選択されたことが反転表示によって示される。３５０３は選択された文書を送信するためのボタンである。３５０４はスキャナから原稿を読み込み、文書を生成するためのボタンである。３５０５はフォルダ内のすべての文書を選択するためのボタンである。３５０６は選択された文書を削除するためのボタンである。３５０７は選択された文書を印刷するためのボタンである。３５０８は選択された文書を編集するためのボタンである。たとえば２つの文書を選択して、結合し、１つの文書にして保存したり、特定のページを削除する機能を持っている。３５０９は最後に選択された文書の詳細情報を表示するためのボタンである。文書名以外にも解像度、原稿サイズ、カラーなどの情報をみることができる。
【００３１】
図１４にソフト構成図を示す。４０１０は表示操作部を制御するＵＩ制御部、ＵＩ制御部からの指示を受け、コピー動作、送信動作、ボックス画面からのスキャン、プリントを実行するコピーアプリケーション部４０２０、送信アプリケーション部４０２１、ＢＯＸアプリケーション部４０２２がある。またネットワークアプリケーション４１２０からのＰＤＬプリントデータをうけＰＤＬプリントジョブを投入するＰＤＬアプリケーション部４０２３がある。４０３０は機器制御部分の機器依存部分を吸収するための共通インタフェース部分、４０４０は共通インタフェースから受け取ったジョブ情報を整理し、下位層のドキュメント処理部に伝達するジョブマネージャである。ドキュメント処理部はローカルコピーであればスキャンマネージャ４０５０とプリントマネージャ４０９０、リモートコピーの送信ジョブ、あるいは送信ジョブであればスキャンマネージャ４０５０とファイルストアマネージャ４１００、リモートコピーの受信ジョブであればファイルリードマネージャ４０６０とプリントマネージャ４０９０、ＬＩＰＳやＰｏｓｔＳｃｒｉｐｔなどのＰＤＬプリントではＰＤＬマネージャ４０７０とプリントマネージャ４０９０である。各ドキュメントマネージャ間の同期とり、および各種画像処理を行うイメージマネージャ４１１０への画像処理の依頼はシンクマネージャ４０８０を介して行う。スキャン、プリント時の画像処理や画像ファイルの格納はイメージマネージャ４１１０が行う。
【００３２】
まずローカルコピーのソフト処理について説明する。使用者の指示によりＵＩ制御部４０１０からコピー指示とともにコピーの設定がコピーアプリケーション部４０２０に伝わる。コピーアプリケーション部４０２０はＵＩ制御部４０１０からの情報を共通インタフェース４０３０を介して、機器制御を行うジョブマネージャ４０４０に伝える。ジョブマネージャ４０４０はスキャンマネージャ４０５０とプリントマネージャ４０９０にジョブの情報を伝達する。スキャンマネージャ４０５０は図示しないデバイスＩ／Ｆ（デバイスＩ／Ｆはコントローラ２０００とスキャナ２０１５、およびコントローラ２０００とプリンタ２０１７を結ぶシリアルＩ／Ｆ）を介してスキャナ２０７０にスキャン要求を行う。また、同時にシンクマネージャ４０８０を介してイメージマネージャ４１１０にスキャン用の画像処理要求を出す。イメージマネージャ４１１０はスキャンマネージャ４０５０の指示に従って、スキャナ画像処理部２０１４の設定を行う。設定が完了したら、シンクマネージャ４０８０を介してスキャン準備完了を伝える。その後スキャンマネージャ４０５０はスキャナ２０７０に対してスキャンを指示する。スキャン画像転送完了は図示しないハードウェアからの割り込み信号によってイメージマネージャ４１１０に伝わる。イメージマネージャ４１１０からのスキャン完了を受けてシンクマネージャ４０８０はスキャン完了をスキャンマネージャ４０５０、プリントマネージャ４０９０に伝える。同時にシンクマネージャ４０８０はＲＡＭ２００２に蓄積された圧縮画像をＨＤＤ２００４にファイル化するためイメージマネージャ４１１０に指示する。イメージマネージャ４１１０は指示に従ってメモリ上の画像（文字／写真判定信号を含めて）をＨＤＤ２００４に格納する。画像の付随情報として図示しないＳＲＡＭにカラー判定／白黒判定結果、下地とばしを行うための下地とばしレベル、画像入力元としてスキャン画像、色空間ＲＧＢも格納しておく。また、ＨＤＤ２００４への格納が終了し、スキャナ２０７０からのスキャン完了を受けたら、シンクマネージャ４０８０を介してスキャンマネージャ４０５０にファイル化終了を通知する。スキャンマネージャ４０５０はジョブマネージャ４０４０に対して終了通知を返し、ジョブマネージャ４０４０は共通インタフェース４０３０を介してコピーアプリケーション部４０２０へ返す。プリントマネージャ４０９０はメモリに画像が入った時点でデバイスＩ／Ｆを介して、プリンタ２０９５に印刷要求をだす。同時にシンクマネージャ４０８０にプリント画像処理要求を行う。シンクマネージャ４０８０はプリントマネージャ４０９０から要求を受けたら画像処理設定をイメージマネージャ４１１０に依頼する。イメージマネージャ４１１０は前記の画像の付随情報に従ってプリンタ画像処理部２０１５の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をプリントマネージャ４０９０に伝える。プリントマネージャ４０９０はプリンタ部からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【００３３】
リモートコピーのスキャンジョブ、送信ジョブの場合は、プリントマネージャ４０９０に代わってストアマネージャ４１００がジョブマネージャ４０４０からの要求を受ける。スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。コピーアプリケーション部４０２０、送信アプリケーション４０２１はこの通知のあと、ネットワークアプリケーション４４２０に対してＨＤＤに格納されたファイルの送信を依頼する。依頼を受けたネットワークアプリケーション４４２０がファイルを送信する。ネットワークアプリケーション４４２０はジョブ開始時にコピーアプリケーション部４０２０からコピーに関する設定情報を受け、それもリモート側の機器に通知する。ネットワークアプリケーション４４２０はリモートコピーの場合、機器固有の通信プロトコルを使用して送信を行う。また送信ジョブの場合はＦＴＰ、ＳＭＢのような標準的なファイル転送プロトコルを使用する。
【００３４】
ファックス送信する場合はファイル格納後、送信アプリケーション４０２１から共通インタフェース４０３０、ジョブマネージャ４０４０を介してＦＡＸマネージャ４０４１に送信が指示される。ＦＡＸマネージャ４０４１はＭｏｄｅｍ２０５０を介して、相手機器とネゴシエーションし、必要な画像処理（カラー−＞白黒変換、多値２値変換、回転、変倍）をイメージマネージャ４１１０に依頼し、変換後の画像をＭｏｄｅｍを使って送信する。
【００３５】
また、送信先にプリンタがある場合、送信アプリケーションは共通インタフェース４０００を介してプリントジョブとしてプリントの指示を行う。そのときの動作は以下で説明するリモートコピーのプリントジョブの場合と同様である。また、送信宛先が機器内のボックス宛先になっているときはファイルストアマネージャ４１００によって機器内のファイルシステムに格納する。
【００３６】
ＦＡＸ受信時はＦＡＸマネージャがＭｏｄｅｍを使って画像を受信し、画像ファイルとしてＨＤＤ２００４に格納する。ＨＤＤ２００４格納後にボックスアプリケーション４０２１に通知すると、ボックスアプリケーション４０２１から受信プリントの指示が共通インタフェース４０３０を介して、ジョブマネージャ４０４０になされる。その後は通常のボックスプリントジョブと同じ動作になるため省略する。
【００３７】
リモートコピーのプリントジョブの場合は、送信側からの画像をネットワークアプリケーション４４２０がＨＤＤに保存するとともにコピーアプリケーション部４０２０に対してジョブを発行する。コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。受信画像をＨＤＤからメモリに展開するための要求をシンクマネージャ４０８０を介して、イメージマネージャ４１１０に行う。イメージマネージャ４１１０はメモリに画像を展開する。イメージマネージャ４１１０は展開が終了した時点で、展開終了をシンクマネージャ４０８０を経由して、ファイルリードマネージャ４０６０とプリントマネージャ４０９０に伝える。プリントマネージャ４０９０はメモリに画像が入った時点でデバイスＩ／Ｆを介して、プリンタ２０１７にジョブマネージャから指示された給紙段、もしくはその用紙サイズを有する段を選択し、印刷要求をだす。自動用紙の場合には画像サイズから給紙段を決定し印刷要求をだす。同時にシンクマネージャ４０８０にプリント画像処理要求を行う。シンクマネージャ４０８０はプリントマネージャ４０９０から要求を受けたらプリント画像処理設定をイメージマネージャ４１１０に依頼する。（このときたとえば最適サイズ用紙がなくなり、回転が必要になれば別途回転指示も依頼する。回転指示があった場合にはイメージマネージャが画像回転２０１９を使って画像を回転する。）イメージマネージャ４１１０はプリンタ画像処理部２０９０の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は終了通知をジョブマネージャ４０４０に返す。プリントマネージャ４０９０はプリンタ部からの排紙完了を受け、ジョブマネージャ４０４０に対して終了通知を返す。ジョブマネージャ４０４０は共通インタフェース４０３０を介してコピーアプリケーション部４０２０へ終了通知を返す。コピーアプリケーション部４０２０はスキャン、プリントが終了したらジョブ終了をＵＩ制御部に通知する。
【００３８】
ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブマネージャ４０４０に指示する。このときＰＤＬマネージャ４０７０とストアマネージャ４１００がジョブマネージャ４０４０からの要求を受ける。画像のＲＩＰが終了した後の画像入力する部分に関しては前述のスキャンジョブと同様である。メモリ上の画像（文字／写真判定信号を含めて）をＨＤＤ２００４に格納する。画像の付随情報として図示しないＳＲＡＭにカラー／白黒情報、画像入力元としてＰＤＬ画像、色空間ＣＭＹＫもしくはＲＧＢも格納しておく。ＰＤＬ画像をＨＤＤ２００４に格納し終わった時点で、シンクマネージャ４０８０から格納完了通知を受け、それを共通インタフェース４０３０を介してＰＤＬアプリケーション４０２３に通知する。ＰＤＬアプリケーション４０２３はこの通知のあと、ネットワークアプリケーション４４２０にＨＤＤに格納完了を通知し、ＰＤＬプリントを投入したホストＰＣへこの情報が伝達される。また、ＰＤＬプリントジョブの場合にはＰＤＬマネージャ４０７０とプリントマネージャによって、メモリ上に展開された画像を印字する。
【００３９】
ＰＤＬ展開され格納された画像のプリントはＵＩで印刷指示された格納文書をＢＯＸアプリケーションに対してプリントジョブとして発行する。ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。印刷指示された画像をＨＤＤからメモリに展開するための要求をシンクマネージャ４０８０を介して、イメージマネージャ４１１０に行う。この後の動作はリモートコピーのプリントジョブで説明した動作と同様のため、省略する。
【００４０】
次に本実施例の中心部となる、パディングのシフト制御について説明する。
【００４１】
まず、画像を合成して、合成した画像を送信するときの画像フローについて図１５を使って説明する。４０５１は画像メモリであり、スキャンもしくはＨＤＤに格納されている。メモリに格納されるのは図４で説明したパケットデータの集合である。４０５２も同様の画像メモリであり、やはり図４で説明したパケットデータの集合である。４０５３は合成処理であり、２０２３を使って行う。４０５４は合成後のパケットデータの集合が入る画像メモリである。４０５４では合成と同時に、パターンマッチングによって送信してはいけない画像か否かを判定している。もし所定画像を含んでいると判定された場合には４０５５で加工処理を行う。加工処理はソフトで行う。具体的にはパケット画像の集合に対して、部分的に（例えば市松模様のように１パケットおきに）均一な色でできたパケットデータと置き換えてしまう。処理後の画像は４０５６の画像メモリに戻る。その後、パケットからラスター画像への変換を４０５７で行う。４０５８に格納された送信用の画像がＮｅｔｗｏｒｋやＦＡＸを介して送信される。
【００４２】
図１６に２０２３の合成処理部の詳細を図示する。２０２３は２つの画像入力部（４１０１，４１０２）を持ち、ここから２枚の画像を入力する。４１０３はαチャネルといい、２つの画像の合成比率をあらわす信号である。例えばここに入力する信号は画像から作ってもよいし、文字、写真を示す２値のデータ（像域フラグ）でもよい。この信号に従って４１０４の合成部で合成を行う。合成は画素単位でＡｘα＋Ｂｘ（１−α）（α≦１）のように行われる。Ａ，Ｂはそれぞれ入力される２つの画像のレベルである。４１０５は合成後の信号であり、４１０６の判定部に入力される。画像判定部では合成後の画像がＣＰＵから設定された４１０７のパターンと一致するか否かを判断し、その判定度合いを４１０６内に残すことができる。判定後の信号は４１０６を通って外部に出力される。
【００４３】
具体的な例として、図１７、図４２０５に画像で例を示した。４２０１は紙幣もしくは有価証券の一部がスキャンされた場合であり、４２０２の一部と合成することではじめて紙幣もしくは有価証券として認識できるようなケースである。この場合、合成後の画像４２０３に対して判定処理が行われ、所定の画像と判定され４２０４のように画像加工される。４２５１、４２５２は紙幣もしくは有価証券が薄くスキャンされた場合であり、合成することではじめて紙幣もしくは有価証券として認識できるようなケースである。この場合、合成後の画像４２５３に対して判定処理が行われ、所定の画像と判定され４２５４のように画像加工される。もちろんこれらの組み合わせも考えられるが本発明では合成後に判定処理をおこなうため問題ない。
【００４４】
図１９を使って制御フローを説明する。まず、送信が開始されたとき、４３０１で合成送信か否かを判断する。合成送信でなければ終了し、合成送信であれば、４３０２で合成後に判断するためのパターンを４１０７でダウンロードする。このパターンはＵＩから入力することができるほか、紙幣の場合には予め用意されているパターンを使用する。判定したいパターンが前と変わらないならダウンロードをする必要はない。４３０３でスキャンする、もしくはＨＤＤの画像をメモリ上へ置くことで合成する２枚の画像をメモリ上に準備する。４３０４で合成処理を行う。αチャネルへの入力はメモリ上の画像、もしくは像域フラグからソフトで生成を行う。４３０５で４１０６の判定部を読み４１０７にダウンロードしたパターンと同じか否かを判断する。もしパターンと一致していれば４３０６で加工処理を行う。パケット単位で白い画像と置き換える処理なので、これもソフトで行う。あとは４３０７でパケットデータから送信用のラスター画像に変換、同時にＪＰＥＧのような符号化も行う。最後に４３０８において送信を行う。
【実施例２】
【００４５】
ＦＡＸやＩＦＡＸといったプロトコルでは送信解像度が２００×１００ｄｐｉ，２００×２００ｄｐｉ，４００×２００ｄｐｉ、４００×４００ｄｐｉのように低解像度であり、しかも白黒の２値画像を送信する。したがって、紙幣や有価証券などをスキャンし、送信したとしても明らかに本物ではないとわかるため大きな問題にはならないと考えられる。また、送り先によらず白黒モードでスキャンした場合や、合成後の画像を白黒にするという指定がされた場合も同様の理由で判定しなくても問題にならないと考えられる。むしろ判定処理や、加工処理にかかる時間分パフォーマンスが落ちる方が使用者にとってはデメリットとなる。そこで本実施例ではこのような場合の対策を制御フローとして示す。
【００４６】
判定処理を行うか否かを決定するために、図２０ではさらに限定をつけた制御フローを示す。４４０１では合成送信か、という判定以外にも送信先がＦＡＸ、ＩＦＡＸか、または２枚の原稿が白黒か、ＵＩからの指定で合成後の画像が白黒になるか、いずれかの条件に当てはまる場合には判定処理は行わない。４４０２以降は４３０２以降の処理と共通のため説明を省略する。
【図面の簡単な説明】
【００４７】
【図１】画像形成システムの全体構成を示す図
【図２】画像形成装置の全体構成を示す図
【図３】パケット画像と画像全体の関係図
【図４】パケット画像の構造を示す図
【図５】本発明のスキャナ画像処理のブロック図
【図６】本発明のプリンタ画像処理のブロック図
【図７】画像形成装置の入出力デバイス外観図
【図８】画像形成装置の操作部外観図
【図９】本発明の操作部の送信画面の説明図
【図１０】本発明の操作部の送信画面の詳細説明図
【図１１】本発明の操作部のコピー画面の説明図
【図１２】本発明の操作部のボックス画面の説明図
【図１３】本発明の操作部のボックス画面の詳細説明図
【図１４】本発明のソフト構成を示すソフト構成図
【図１５】合成送信処理の画像フロー
【図１６】合成部の詳細図
【図１７】合成処理の例１
【図１８】合成処理の例２
【図１９】合成送信処理のフローチャート
【図２０】特定の条件をつけた合成送信処理のフローチャート
【図１】
2006333200.tif 000003
【図２】
2006333200.tif 000004
【図３】
2006333200.tif 000005
【図４】
2006333200.tif 000006
【図５】
2006333200.tif 000007
【図６】
2006333200.tif 000008
【図７】
2006333200.tif 000009
【図８】
2006333200.tif 000010
【図９】
2006333200.tif 000011
【図１０】
2006333200.tif 000012
【図１１】
2006333200.tif 000013
【図１２】
2006333200.tif 000014
【図１３】
2006333200.tif 000015
【図１４】
2006333200.tif 000016
【図１５】
2006333200.tif 000017
【図１６】
2006333200.tif 000018
【図１７】
2006333200.tif 000019
【図１８】
2006333200.tif 000020
【図１９】
2006333200.tif 000021
【図２０】
2006333200.tif 000022